(57)【要約】  本発明は、異種通信ネットワーク網を使用するときに発生することができる体感性能低下を防止するために移動通信システム間の情報を処理する方法に関し、本発明の移動通信システムの体感性能を改善するための端末で情報処理方法は、第１ネットワークを利用してデータ通信を行い、政策サーバーからハンドオーバーのための端末状態を指定する条件に関する情報であるユーザ状態条件情報が含まれたルーティング政策を受信する過程と、ハンドオーバー時に、検索された第２ネットワークが前記ユーザ状態条件情報を満足する場合、前記第２ネットワークを利用して前記データ通信を行う過程とを含むことを特徴とする。したがって、端末の状態やネットワーク状態を考慮して生成されたルーティング政策を利用してデータ伝送のためのネットワークが選択されることができるので、ユーザ体感性能が高くなる。
2014528661.tif 000002
【特許請求の範囲】
【請求項１】
移動通信システムの体感性能を改善するための端末における情報処理方法において、
第１ネットワークを利用してデータ通信を行い、政策サーバーからハンドオーバーのための端末状態を指定する条件に関する情報であるユーザ状態条件情報が含まれたルーティング政策を受信する過程と、
ハンドオーバー時に、検索された第２ネットワークが前記ユーザ状態条件情報を満足する場合、前記第２ネットワークを利用して前記データ通信を行う過程と、を含むことを特徴とする情報処理方法。
【請求項２】
前記データ通信を行う過程は、
前記ユーザ状態条件情報を続いてチェックする過程と、
前記ユーザ状態条件情報が満足されない場合、ネットワークを変更するように決定する過程と、を含むことを特徴とする請求項１に記載の情報処理方法。
【請求項３】
前記ユーザ状態条件情報は、
前記ルーティング政策内のルーティング基準に含まれて受信され、バッテリー状態、移動性レベル、ネットワーク混雑度のうち少なくともいずれか１つ以上を含むことを特徴とする請求項２に記載の情報処理方法。
【請求項４】
前記データ通信を行う過程は、
前記ユーザ状態条件情報を続いてチェックする過程と、
前記ユーザ状態条件情報が満足されない場合、前記政策サーバーにアップデート政策を要請する過程と、を含むことを特徴とする請求項１に記載の情報処理方法。
【請求項５】
前記ユーザ状態条件情報は、
前記ルーティング政策内のアップデート政策に含まれて受信され、前記端末とネットワークとの間の信号強度（Ｓｉｇｎａｌ  Ｓｔｒｅｎｇｔｈ）、スタベイション（Ｓｔａｒｖａｔｉｏｎ）程度、連結試み失敗回数（Ｃｏｎｎｅｃｔｉｏｎ  Ａｔｔｅｍｐｔ  ｆａｉｌｕｒｅ  ｌｅｖｅｌ）、バッテリー状態に関する情報のうち少なくとも１つ以上を含むことを特徴とする請求項４に記載の情報処理方法。
【請求項６】
前記政策サーバーは、基地局または移動性管理エンティティーに連動し、
前記端末は、前記基地局または移動性管理エンティティーのうち少なくともいずれか１つ以上を通じて前記政策サーバーと通信することを特徴とする請求項１に記載の情報処理方法。
【請求項７】
前記基地局は、
前記基地局のカバレージ（Ｃｏｖｅｒａｇｅ）内に前記端末が接続可能な第２ネットワークが存在するか否かを放送チャネルを通じてブロードキャスト（ｂｒｏａｄｃａｓｔ）することを特徴とする請求項６に記載の情報処理方法。
【請求項８】
前記ブロードキャストは、
ＳＩＢ（Ｓｙｓｔｅｍ  Ｉｎｆｏｒｍａｔｉｏｎ  Ｂｌｏｃｋ）を利用してブロードキャストすることを特徴とする請求項７に記載の情報処理方法。
【請求項９】
移動通信システムの体感性能を改善するための政策サーバーで情報処理方法において、
ハンドオーバーのための端末状態を指定する条件に関する情報であるユーザ状態条件情報が含まれたルーティング政策を生成し、端末に伝送する過程を含むことを特徴とする情報処理方法。
【請求項１０】
前記ユーザ状態条件情報は、
前記ルーティング政策内のルーティング基準に含まれて受信され、バッテリー状態、移動性レベル、ネットワーク混雑度のうち少なくともいずれか１つ以上を含むことを特徴とする請求項９に記載の情報処理方法。
【請求項１１】
前記端末からアップデート政策要請を受信する過程と、
新しいルーティング政策を生成し、前記端末に伝送する過程と、をさらに含むことを特徴とする請求項９に記載の情報処理方法。
【請求項１２】
前記ユーザ状態条件情報は、
アップデート政策を要請するための必要条件情報であることを特徴とする請求項１０に記載の情報処理方法。
【請求項１３】
前記ユーザ状態条件情報は、
前記ルーティング政策内のアップデート政策に含まれて受信され、前記端末とネットワークとの間の信号強度（Ｓｉｇｎａｌ  Ｓｔｒｅｎｇｔｈ）、スタベイション（Ｓｔａｒｖａｔｉｏｎ）程度、連結試み失敗回数（Ｃｏｎｎｅｃｔｉｏｎ  Ａｔｔｅｍｐｔ  ｆａｉｌｕｒｅ  ｌｅｖｅｌ）、バッテリー状態に関する情報のうち少なくとも１つ以上を含むことを特徴とする請求項１２に記載の情報処理方法。
【請求項１４】
前記アップデート政策を受信する過程は、
要請理由及び前記端末状態に関する情報を一緒に受信する過程をさらに含むことを特徴とする請求項１１に記載の情報処理方法。
【請求項１５】
新しいルーティング政策を生成し、前記端末に伝送する過程は、前記端末状態に関する情報を通じて前記端末の状態を考慮して新しいルーティング政策を生成して伝送することを特徴とする請求項１１に記載の情報処理方法。
【請求項１６】
前記政策サーバーは、基地局または移動性管理エンティティーに連動し、
前記政策サーバーは、前記基地局または移動性管理エンティティーのうち少なくともいずれか１つ以上を通じて前記端末と通信することを特徴とする請求項９に記載の情報処理方法。
【請求項１７】
前記基地局は、
前記基地局のカバレージ（Ｃｏｖｅｒａｇｅ）内に前記端末が接続可能な第２ネットワークが存在するか否かを放送チャネルを通じてブロードキャスト（ｂｒｏａｄｃａｓｔ）することを特徴とする請求項１６に記載の情報処理方法。
【請求項１８】
前記ブロードキャストは、
ＳＩＢ（Ｓｙｓｔｅｍ  Ｉｎｆｏｒｍａｔｉｏｎ  Ｂｌｏｃｋ）を利用してブロードキャストすることを特徴とする請求項１７に記載の情報処理方法。
【発明の詳細な説明】
【技術分野】
【０００１】
本発明は、３ＧＰＰ  Ａｃｃｅｓｓ  ＮｅｔｗｏｒｋとＮｏｎ−３ＧＰＰ  Ａｃｃｅｓｓ  Ｎｅｔｗｏｒｋが混在する状況でユーザが無線ＬＡＮのようなＮｏｎ−３ＧＰＰ  ＡｃｃｅｓｓＮｅｔｗｏｒｋを使用するときに発生する可能性がある体感性能低下を防止するために情報を送受信して処理する方法に関する。
【背景技術】
【０００２】
一般的に、移動通信システムは、ユーザの移動性を確保しながら通信を提供するための目的で開発された。このような移動通信システムは、技術の飛躍的な発展に伴い、音声通信はもちろん、高速のデータ通信サービスを提供することができる段階に至った。
【０００３】
近年、次世代移動通信システムのうち１つとして３ＧＰＰ（３ｒｄ  Ｇｅｎｅｒａｔｉｏｎ  Ｐａｒｔｎｅｒｓｈｉｐ  Ｐｒｏｊｅｃｔ）でＬＴＥ（Ｌｏｎｇ  Ｔｅｒｍ  Ｅｖｏｌｕｔｉｏｎ）に対する規格作業が進行中にある。ＬＴＥは、現在提供されているデータ伝送率より高い最大１００Ｍｂｐｓ程度の伝送速度を有する高速パケット基盤通信を具現する技術である。このために、ネットワークの構造を簡単にして、通信路上に位置するノードの数を減らす方案や、無線プロトコルを最大限無線チャネルに近接させる方案などが代表的に論議されている。
【０００４】
しかし、このような努力にもかかわらず、限定された無線チャネル資源を利用して爆発的に増加しているユーザのサービス要求を充足させにくいことが現況である。特に、スマートフォンの導入によってデータ通信網を使用するユーザの飽和度が高くなっている。このような状況で、移動通信事業者は、ＩＳＭバンド（Ｉｎｄｕｓｔｒｉａｌ  Ｓｃｉｅｎｔｉｆｉｃ  Ｍｅｄｉｃａｌ  Ｂａｎｄ）を利用してユーザに無線接近を許容する無線ＬＡＮ（Ｗｉｒｅｌｅｓｓ  ＬＡＮ、ＷｉＦｉ、またはＩＥＥＥ  ８０２．１１ファミリ）などのＮｏｎ−３ＧＰＰ  Ａｃｃｅｓｓ  Ｎｅｔｗｏｒｋを活用して事業者データ網の飽和を解決しようとする。すなわち、ユーザのトラフィックのうち一部のトラフィックが基地局を介した３ＧＰＰ  Ａｃｃｅｓｓ  Ｎｅｔｗｏｒｋで伝送されるものではなく、Ｎｏｎ−３ＧＰＰ  Ａｃｃｅｓｓ  Ｎｅｔｏｗｒｋ、例えば無線ＬＡＮ  ＡＰ（Ａｃｃｅｓｓ  Ｐｏｉｎｔ）を利用して伝送される。このような場合、事業者は、３ＧＰＰ  Ａｃｃｅｓｓ  Ｎｅｔｗｏｒｋで使用する周波数帯域だけでなく、Ｎｏｎ−３ＧＰＰ  Ａｃｃｅｓｓ  Ｎｅｔｗｏｒｋで使用する周波数帯域を同時に利用してサービスすることができ、データ急増に対処することができる。
【０００５】
３ＧＰＰでは、このように３ＧＰＰ  Ａｃｃｅｓｓ  Ｎｅｔｗｏｒｋ、すなわちＬＴＥとＮｏｎ−３ＧＰＰ  Ａｃｃｅｓｓ  Ｎｅｔｗｏｒｋを選択的に使用する政策（Ｐｏｌｉｃｙ）をＵＥに提供するためにＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）を定義した。これについて、図１を参照して説明する。
【０００６】
図１は、従来技術によるＵＥとＡＮＤＳＦを使用するネットワーク構造を示す図である。
【０００７】
図１を参照すれば、ＡＮＤＳＦは、ＩＰレイヤ（Ｉｎｔｅｒｎｅｔ Ｐｒｏｔｏｃｏｌ Ｌａｙｅｒ）の上で動作するＳ１４インターフェースを利用してＵＥと通信し、ＵＥに３ＧＰＰ／Ｎｏｎ−３ＧＰＰ Ａｃｃｅｓｓ Ｎｅｔｗｏｒｋ選択（Ｓｅｌｅｃｔｉｏｎ）と関連した政策を提供する。ＵＥとＡＮＤＳＦは、ＩＰレイヤの上で動作するＳ１４インターフェースを使用し、Ｓ１４インターフェースは、ＯＭＡ  ＤＭ（Ｏｐｅｎ  Ｍｏｂｉｌｅ  Ａｌｌｉａｎｃｅ  Ｄｅｖｉｃｅ  Ｍａｎａｇｅｍｅｎｔ）のＭＯ（Ｍａｎａｇｅｍｅｎｔ  Ｏｂｊｅｃｔ）形態のデータを交換するのに使用される。そして、ＵＥとＡＮＤＳＦ間のＩＰ  Ｌａｙｅｒ連結は、３ＧＰＰまたはＮｏｎ−３ＧＰＰ  Ａｃｃｅｓｓ  Ｎｅｔｗｏｒｋによって提供される。また、ＵＥは、ＡＮＤＳＦと通信するために必ず先に別途の保安方法（Ｓｅｃｕｒｉｔｙ  Ｍｅｔｈｏｄ）を利用して保安トンネル（Ｓｅｃｕｒｅ  Ｔｕｎｎｅｌ）を生成しなければならない。このような要求事項は、ＡＮＤＳＦがＵＥに政策を提供するまでかかる時間が長くなるようにする。これは、ＡＮＤＳＦの政策が動的に変化するＵＥの状態やＡｃｃｅｓｓ  Ｎｅｔｗｏｒｋ状態を考慮するに十分ではないことを意味する。
【発明の概要】
【発明が解決しようとする課題】
【０００８】
図２は、従来技術によるＡＮＤＳＦの政策を利用するネットワークの一般的な動作を示す面である。
【０００９】
図２を参照すれば、ＵＥは、２００段階で、Ａｃｃｅｓｓ  Ｎｅｔｗｏｒｋ １を利用してデータを受信する。そして、ＡＮＤＳＦは、２０２段階で、３ＧＰＰ／Ｎｏｎ−３ＧＰＰ  Ａｃｃｅｓｓ  Ｎｅｔｗｏｒｋ選択と関連したルーティング政策（Ｒｏｕｔｉｎｇ Ｐｏｌｉｃｙ）を生成し、ＵＥに伝達する。ルーティング政策は、Ｐｏｌｉｃｙ（ＩＳＭＰである場合）またはＩＳＲＰのうち１つである。この際、ルーティング政策には、アップデート政策（Ｕｐｄａｔｅ  Ｐｏｌｉｃｙ）、位置、時間、ＡＰＮを含むルーティング基準（Ｒｏｕｔｉｎｇ  Ｃｒｉｔｅｒｉａ）などが含まれる。もしルーティング政策がＰｏｌｉｃｙである場合、ルーティング基準の代わりに位置だけが含まれることができる。
【００１０】
そして、ＵＥは、２０４段階で、ハンドオーバー実行時に、受信されたルーティング政策（Ｒｏｕｔｉｎｇ  Ｐｏｌｉｃｙ）に基づいて接続するネットワークを検索する。次に、ＵＳは、２０６段階で、Ａｃｃｅｓｓ  Ｎｅｔｗｏｒｋ  ２を利用してデータを引き続いて受信する。もし、さらにハンドオーバーを行わなければならない場合、ＵＥは、２０８段階で、受信されたルーティング政策に基づいて接続するネットワークを検索し、当該ネットワークに接続する。
【００１１】
ルーティング政策は、ＵＥがどんなＡｃｃｅｓｓ  Ｎｅｔｗｏｒｋを選択するかに対する基準だけでなく、アップデート政策というフィールドとルーティング基準というフィールドを含む。アップデート政策は、１ビット（Ｂｉｔ）のフラグ（Ｆｌａｇ）でＵＥがＡＮＤＳＦから受けた政策が使用するに適していない場合、政策アップデートを要請することができるかに対する許容可否を示す。このように１ビットで政策アップデート可否を決定する方式は、ＵＥが本当に政策アップデートが必要であるにもかかわらず、アップデート要請をすることができないか、または不要にあまり頻繁に政策アップデートが発生することができるという問題を引き起こす。
【００１２】
一方、ルーティング基準は、政策が適用されるユーザの位置、時間、そしてＡＰＮ（Ａｃｃｅｓｓ  Ｐｏｉｎｔ  Ｎａｍｅ）を含む。ＵＥは、このルーティング基準によって事業者から受けた政策を適用するか否かを決定するようになり、ユーザの位置、時間、そしてＡＰＮの組合は、ＵＥとＡｃｃｅｓｓ  Ｎｅｔｗｏｒｋの状態を正確に反映するのに限界がある。例えば、現在ＡＮＤＳＦのアーキテクチャー（Ａｒｃｈｉｔｅｃｔｕｒｅ）に従う場合、ＵＥは、無線ＬＡＮ網を接続するとき、無線ＬＡＮ網の混雑程度を考慮することができず、このような場合、ユーザが感じる体感性能が極度に悪くなることができる。
【課題を解決するための手段】
【００１３】
前述したような問題点を解決するために、本発明の移動通信システムの体感性能を改善するための端末で情報処理方法は、第１ネットワークを利用してデータ通信を行い、政策サーバーからハンドオーバーのための端末状態を指定する条件に関する情報であるユーザ状態条件情報が含まれたルーティング政策を受信する過程と、ハンドオーバー時に、検索された第２ネットワークが前記ユーザ状態条件情報を満足する場合、前記第２ネットワークを利用して前記データ通信を行う過程とを含むことを特徴とする。
【００１４】
また、本発明の移動通信システムの体感性能を改善するための政策サーバーで情報処理方法において、ハンドオーバーのための端末状態を指定する条件に関する情報であるユーザ状態条件情報が含まれたルーティング政策を生成し、端末に伝送する過程を含むことを特徴とする。
【発明の効果】
【００１５】
本発明によれば、ＵＥが無線ＬＡＮを使用してトラフィックを伝送するか否かを決定するとき、ＵＥの状態やＡｃｃｅｓｓ  Ｎｅｔｗｏｒｋの状態を考慮するので、ユーザの体感性能を高めることができる。
【図面の簡単な説明】
【００１６】
【図１】図１は、従来技術によるＵＥとＡＮＤＳＦを使用するネットワーク構造を示す図である。
【図２】図２は、従来技術によるＡＮＤＳＦの政策を利用するネットワークの一般的な動作を示す図である。
【図３】図３は、本発明の第１実施例による移動通信システム間のルーティング政策を伝達する方法を示す図である。
【図４】図４は、本発明の第２実施例による移動通信システム間のルーティング政策を伝達する方法を示す図である。
【図５】図５は、本発明の実施例によって政策サーバーがＩＰレイヤで動作する場合、移動通信システム間のルーティング政策を伝達する方法を示す図である。
【図６】図６は、本発明の実施例によって政策サーバーがＭＭＥに連動する場合、移動通信システム間のルーティング政策を伝達する方法を示す図である。
【発明を実施するための形態】
【００１７】
下記で、本発明を説明するに際して関連した公知機能または構成に対する具体的な説明が本発明の要旨を不明にすることができると判断される場合には、その詳細な説明を省略する。以下、添付の図面を参照して本発明の実施例を説明する。
【００１８】
また、本発明の実施例を具体的に説明するにあたって、基本的な３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）システムと無線ＬＡＮ（ＩＥＥＥ  ８０２．１１ファミリ）を主な対象とするが、本発明の主な要旨は、類似の技術的背景及びシステム形態を有するその他の通信／コンピュータシステムにも本発明の範囲を大きく逸脱しない範囲で少しの変形で適用可能であり、これは、本発明の技術分野で熟練された技術的知識を有する者の判断で可能だろう。また、本発明の実施例を具体的に説明するにあたって、基本的に説明の便宜のためにＡＮＤＳＦ（Ａｃｃｅｓｓ  Ｎｅｔｗｏｒｋ  Ｄｉｓｃｏｖｅｒｙ  Ｓｅｒｖｉｃｅ  Ｆｕｎｃｔｉｏｎ）や政策サーバーを独立的な機能を有する構造体（Ｅｎｔｉｔｙ）と見なすが、これらは、物理的に通信システム内の他の構造体のように具現されて位置することができる。また、本発明を説明するにあたって、３ＧＰＰ  Ｒｅｌ−１０  ＡＮＤＳＦ  ＭＯ形態を基準とするが、本発明で提案する制御情報及びこれによる動作は、制御情報の形態が異なる場合にも少しの変形で適用可能である。
【００１９】
ＡＮＤＳＦ（Ａｃｃｅｓｓ  Ｎｅｔｗｏｒｋ  Ｄｉｓｃｏｖｅｒｙ  Ｓｅｒｖｉｃｅ  Ｆｕｎｃｔｉｏｎ）は、互いに異なる通信ネットワーク間のハンドオーバーに対する技術を提供するための３ＧＰＰ標準案である。ＡＮＤＳＦは、各網に関する情報と事業者政策情報をあらかじめ収集していて、端末機から当該情報が要請されれば、収集された情報を提供する役目を行う。ここで、ＡＮＤＳＦは、ハンドオーバー実行と関連したユーザ政策情報を提供することができるので、政策サーバー（Ｐｏｌｉｃｙ  Ｓｅｒｖｅｒ）と称する。
【００２０】
本発明では、Ａｃｃｅｓｓ  Ｎｅｔｗｏｒｋ選択と関連したＰｏｌｉｃｙ適用で発生することができる問題を解決するために、政策サーバーがユーザとＡｃｃｅｓｓ  Ｎｅｔｗｏｒｋの状態を考慮することができる方法を提示する。そのために、まず、政策サーバーが端末（ＵＥ；Ｕｓｅｒ  Ｅｑｕｉｐｍｅｎｔ）に伝達するルーティング政策（ＰｏｌｉｃｙまたはＩＳＲＰ）に含まれたルーティング基準（Ｒｏｕｔｉｎｇ  Ｃｒｉｔｅｒｉａ）を拡張し、ユーザ状態条件情報（Ｖａｌｉｄｉｔｙ  Ｃｏｎｄｉｔｉｏｎ）を含むことができるようにする方案を提示する。もし端末に伝達されるルーティング政策がＰｏｌｉｃｙである場合、条件情報は、ルーティング基準内に含まれる形態ではなく、Ｐｏｌｉｃｙに直接含まれる形態であることができる。本発明を説明するにあたって、説明の便宜のためにルーティング政策がＩＳＲＰである場合、そして、したがって条件情報がルーティング基準に含まれる場合を基準とするが、本発明の要旨は、ルーティング政策がＰｏｌｉｃｙである場合、条件情報が直接Ｐｏｌｉｃｙに含まれる場合にも適用されることができる。
【００２１】
ユーザ状態条件情報は、ハンドオーバーのための端末状態を指定する条件に関する情報であり、政策サーバーがＵＥに提供する情報である。ユーザ状態条件情報には、ＵＥの移動性、バッテリー状態、混雑程度などの組合が含まれることができ、ＵＥは、この条件が満足されるとき、政策を適用し、ハンドオーバーを行うことができる。例えば、ＵＥが使用することができる無線ＬＡＮの混雑程度がルーティング政策内に明示された特定混雑レベル以下であるときにのみ、実際に無線ＬＡＮを使用するようにする。
【００２２】
また、本発明は、１ビットのフラグで表現されたアップデート政策（Ｕｐｄａｔｅ  Ｐｏｌｉｃｙ）を拡張し、ユーザ状態条件情報を含むことができるようにする方案を提示する。アップデート政策のユーザ状態条件情報は、アップデート政策を要請するための必要条件情報であって、政策サーバーがＵＥに提供する。アップデート政策のユーザ状態条件情報は、ＵＥとＡｃｃｅｓｓ  Ｎｅｔｗｏｒｋ間の信号強度（Ｓｉｇｎａｌ  Ｓｔｒｅｎｇｔｈ）、ＵＥのスタベイション（Ｓｔａｒｖａｔｉｏｎ）程度、連結試み失敗回数（Ｃｏｎｎｅｃｔｉｏｎ  Ａｔｔｅｍｐｔ  ｆａｉｌｕｒｅ  ｌｅｖｅｌ）、バッテリー状態などに関連した情報のうちいずれか１つまたは少なくとも２つの情報組合で構成され、ＵＥは、この条件が満足されるとき、政策サーバーにアップデート政策を要請することができる。
【００２３】
また、本発明では、ＡＮＤＳＦのような政策サーバーがＩＰレイヤの上で動作することによって発生する問題を解決し、３ＧＰＰ  Ａｃｃｅｓｓ  Ｎｅｔｗｏｒｋの状態を直接的に考慮して政策を定めることができるように政策サーバーをｅＮＢ（ｅｎｈａｎｃｅ  Ｎｏｄｅ  Ｂ、基地局）に連動する方案を提示する。
【００２４】
また、本発明では、政策サーバーをｅＮＢに直接連動するときに要求されるインターフェース数字を減らし、３ＧＰＰ  Ａｃｃｅｓｓ  Ｎｅｔｗｏｒｋだけでなく、コアネットワーク（Ｃｏｒｅ  Ｎｅｔｗｏｒｋ）の状態を考慮することができるように政策サーバーをＭＭＥに連動する方案を提示する。
【００２５】
図３は、本発明の第１実施例による移動通信システム間のルーティング政策を伝達する方法を示す図である。言い換えれば、図３は、ルーティング基準を拡張し、ユーザ状態条件情報（ユーザ状態条件情報）が含まれることができるようにする方案を提示する。ユーザ状態条件情報は、政策サーバーが端末機（ＵＥ；Ｕｓｅｒ  Ｅｑｕｉｐｍｅｎｔ）に提供する条件であって、これには、ＵＥの移動性（ＵＥ  ｍｏｂｉｌｉｔｙ  ｌｅｖｅｌ）、バッテリー状態（ＵＥ  ｂａｔｔｅｒｙ  ｌｉｆｅ）、混雑度（Ｃｏｎｇｅｓｔｉｏｎ  ｌｅｖｅｌ）などに関する情報組合が含まれる。そして、ＵＥは、この条件が満足されるとき、政策を適用し、ハンドオーバーを行うことができる。
【００２６】
ＵＥは、３００段階で、連結された第１ネットワークであるＡｃｃｅｓｓ  Ｎｅｔｗｏｒｋ  １を利用してＩＰ通信を行う。そして、政策サーバーは、３０２段階で、事業者政策によってルーティング政策を生成し、ＵＥに伝達する。ここで、ＵＥと政策サーバーが互いに連結される過程は、既に知られている機能であって、詳細な説明を省略する。本発明によれば、Ｒｏｕｔｉｎｇ  Ｃｒｉｔｅｒｉａにユーザ状態条件情報（ユーザ状態条件情報）が新しく含まれる。ユーザ状態条件情報は、ＵＥのバッテリー状態（ＵＥ  ｂａｔｔｅｒｙ  ｌｉｆｅ）、ＵＥの移動性レベル（ＵＥ  ｍｏｂｉｌｉｔｙ  ｌｅｖｅｌ）、ＵＥが測定したＡｃｃｅｓｓ  Ｎｅｔｗｏｒｋの混雑度（Ｃｏｎｇｅｓｔｉｏｎ  ｌｅｖｅｌ）に関する情報のうちいずれか１つまたは少なくとも２つの情報組合で構成される。このような条件情報は、閾値（Ｔｈｒｅｓｈｏｌｄ）概念として定義され、ＵＥは、測定した値が与えられた条件を満足する場合にのみ、Ａｃｃｅｓｓ  Ｎｅｔｗｏｒｋを選択するルーティング政策を適用することができる。
【００２７】
次に、ＵＥは、３０４段階で、ハンドオーバー時に、与えられた政策基準に含まれたＡｃｃｅｓｓ  Ｎｅｔｗｏｒｋが存在するかを検索する。そして、ＵＥは、ルーティング基準に含まれたユーザ状態条件情報を確認する。第２ネットワークであるＡｃｃｅｓｓ  Ｎｅｔｗｏｒｋ２が与えられたユーザ状態条件情報を満足すれば、ＵＥは、３０６段階で、その時からＡｃｃｅｓｓ  Ｎｅｔｗｏｒｋ  ２を利用してデータ通信を行う。例えば、ＵＥが測定した無線ＬＡＮ  Ａｃｃｅｓｓ  Ｎｅｔｗｏｒｋ  ２の混雑レベル（例えば、ＰａｃｋｅｔのＲｏｕｎｄ  Ｔｒｉｐ  ＴｉｍｅやＣｏｎｇｅｓｔｉｏｎ  Ｗｉｎｄｏｗサイズ、ＳＴＡ数、Ｕｔｉｌｉｚａｔｉｏｎ程度など）がユーザ状態条件情報に含まれた混雑レベル以下である場合、当該無線ＬＡＮであるＡｃｃｅｓｓ  Ｎｅｔｗｏｒｋ  ２に接続し、データを送受信する。
【００２８】
そして、ＵＥは、３０８段階で、続いてルーティング基準に含まれたユーザ状態条件情報をチェックし、第２ネットワーク状態を確認する。そして、ユーザ状態条件情報が満足されない場合、ＵＥは、Ａｃｃｅｓｓ  Ｎｅｔｗｏｒｋを変更する。または、ユーザ状態条件情報が満足されない場合、ＵＥは、政策サーバーに政策アップデート（Ｐｏｌｉｃｙ  Ｕｐｄａｔｅ）を要請する。
【００２９】
図３は、ＵＥが特定Ａｃｃｅｓｓ  Ｎｅｔｗｏｒｋとデータ通信中に政策基準を受信し、ハンドオーバー時に当該ネットワークがユーザ状態条件情報に満足するか否かを判断する。そして、当該ネットワークがユーザ状態条件情報を満足すれば、ＵＥは、当該ネットワークと連結され、データ通信を行うことができる。
【００３０】
図４は、本発明の第２実施例による移動通信システム間のルーティング政策を伝達する方法を示す図である。さらに詳しく説明すれば、図４は、本発明の第２実施例によってルーティング政策で既存に１ビットのフラグで表現されたアップデート政策を拡張し、ユーザ状態条件情報が含まれることができるようにする方案を提示する。Ｕｐｄａｔｅ  Ｐｏｌｉｃｙに含まれるユーザ状態条件情報は、政策サーバーがＵＥに提供する条件であって、ＵＥとＡｃｃｅｓｓＮｅｔｗｏｒｋ間の信号強度（Ｓｉｇｎａｌ  Ｓｔｒｅｎｇｔｈ）、ＵＥのスタベイション程度（ＵＥ  ｓｔａｒｖａｔｉｏｎ  ｌｅｖｅｌ）、Ａｔｔｅｍｐｔ失敗回数（Ａｔｔｅｍｐｔｆａｉｌｕｒｅ  ｌｅｖｅｌ）、バッテリー状態（ＵＥ  ｂａｔｔｅｒｙ  ｌｉｆｅ）などに関する情報のうちいずれか１つまたは少なくとも２つの情報組合で構成されることができる。このようなユーザ状態条件情報が満足されるとき、ＵＥは、政策サーバーに新しいアップデート政策を要請することができる。
【００３１】
図４を参照すれば、政策サーバーは、４００段階で、ＵＥにルーティング政策を提供する。この際、ルーティング政策は、ルーティング基準及びアップデート政策を含む。そして、アップデート政策は、ユーザ状態条件情報を含む。ユーザ状態条件情報にＵＥとＡｃｃｅｓｓ  Ｎｅｔｗｏｒｋ間の信号強度、ＵＥのバッテリー状態、ＵＥの移動性レベル、ＵＥのスタベイション（Ｓｔａｒｖａｔｉｏｎ）程度、連結試み後の失敗回数などに関する情報のうちいずれか１つまたは少なくとも２つの情報組合で構成されることができる。これらユーザ状態条件情報は、閾値（Ｔｈｒｅｓｈｏｌｄ）概念であり、ＵＥは、測定した値が与えられたユーザ状態条件情報に満足する場合に、政策サーバーにアップデート政策を要請する。
【００３２】
ＵＥは、４０２段階で、３ＧＰＰ／ｎｏｎ−３ＧＰＰ接続を通じてＡｃｃｅｓｓ  Ｎｅｔｗｏｒｋとデータ通信を行う。そして、ＵＥは、４０４段階で、４００段階で政策サーバーから受信されたアップデート政策に含まれたユーザ状態条件情報を確認する。もし現在のＵＥの状態またはセル状態がユーザ状態条件情報を満足した場合、ＵＥは、４０６段階で、アップデート政策を政策サーバーに要請する。この際、ＵＥは、アップデート政策要請とともに要請理由（Ｒｅａｓｏｎ  ｆｏｒ  ｒｅｑｕｅｓｔ）と現在ＵＥ状態（ＵＥ  ｓｔａｔｕｓ）に関する情報を一緒に伝達する。要請理由は、スタベイション（ｓｔａｒｖａｔｉｏｎ）が激しいか、連結試みが失敗したか、ＵＥのバッテリーがあまり残らなかったなどの１つであることができ、ＵＥ状態は、この際、ＵＥの実際状態、すなわち、スタベイション（ｓｔａｒｖａｔｉｏｎ）程度、連結試み失敗回数、ＵＥのバッテリー残量などが含まれることができる。
【００３３】
それでは、政策サーバーは、４０８段階で、ＵＥから受信されたアップデート政策要請に含まれた情報を格納する。そして、政策サーバーは、ＵＥが通知した情報を通じてＡｃｃｅｓｓＮｅｔｗｏｒｋ及びＵＥの状態を把握し、新しいルーティング政策をアップデートする。次に、政策サーバーは、４１０段階で、アップデートされたルーティング政策をＵＥに伝達する。
【００３４】
図５は、本発明の実施例によって政策サーバーがＩＰレイヤで動作する場合、移動通信システム間のルーティング政策を伝達する方法を示す図である。さらに詳しく説明すれば、図５は、本発明の実施例によってＡＮＤＳＦのような政策サーバーがＩＰレイヤの上で動作することによって、３ＧＰＰ  Ａｃｃｅｓｓ  Ｎｅｔｗｏｒｋの状態が直接的に考慮され、ルーティング政策が定められるように政策サーバーをｅＮＢ（ｅｎｈａｎｃｅ  Ｎｏｄｅ  Ｂ、基地局）に連動する方案を提示する。ｅＮＢは、連結モード（Ｃｏｎｎｅｃｔｅｄ  Ｍｏｄｅ）のＵＥ状態に対して持続的に把握し、３ＧＰＰ  Ａｃｃｅｓｓ  Ｎｅｔｗｏｒｋの状態を直接的に把握することができるノードである。
【００３５】
図５を参照すれば、ＵＥは、５００段階で、ｅＮＢに接続し、３ＧＰＰ  Ａｃｃｅｓｓ  Ｎｅｔｗｏｒｋを使用してデータ通信を行う。そして、ｅＮＢは、５０２段階で、セル（ｃｅｌｌ）の状態やＵＥの状態を確認する。この際、セルの状態は、セルの位置や混雑程度などに関する情報を含み、ＵＥの状態は、ＵＥの位置などのような多様な情報を含む。
【００３６】
もしセルの状態やＵＥの状態がハンドオーバーを行わなければならない状態なら、言い換えれば、ＵＥトラフィック（ＵＥ  ｔｒａｆｆｉｃ）を無くすためにｎｏｎ−３ＧＰＰ  ａｃｃｅｓｓが決定されれば、ｅＮＢは、５０４段階で、政策サーバーにＵＥをＮｏｎ−３ＧＰＰ  Ａｃｃｅｓｓ  Ｎｅｔｗｏｒｋに移動させるルーティング政策生成を要請する。この際、政策サーバーがＵＥ状態によってルーティング政策が生成されるようにルーティング政策生成要請にＵＥや３ＧＰＰ  Ａｃｃｅｓｓ  Ｎｅｔｗｏｒｋの情報が含まれることができ、また、ＵＥのＱｏＳ関連事項も一緒に含まれることができる。
【００３７】
政策サーバーは、５０６段階で、ｅＮＢから受信されたＵＥ及び３ＧＰＰ  Ａｃｃｅｓｓ  Ｎｅｔｗｏｒｋ情報、ＵＥ  ＱｏＳ関連事項に関する情報を格納する。そして、政策サーバーは、格納された情報を考慮してルーティング政策を決定する。この際、ルーティング政策には、図３〜図４で説明したように、ルーティング基準とアップデート政策の拡張を含むことができる。
【００３８】
政策サーバーは、５０８段階で、生成されたルーティング政策をｅＮＢに伝達する。そして、ｅＮＢは、５１０段階で、政策サーバーから受信されたルーティング政策をＵＥに伝達する。この際、ｅＮＢは、３ＧＰＰ  Ａｃｃｅｓｓ  ＮｅｔｗｏｒｋのＲＲＣメッセージを利用してルーティング政策を伝達する。ＲＲＣメッセージは、ＵＥとｅＮＢ間の保安方式に従って保安が維持され、Ｌａｙｅｒ  ２レベルのパケット伝送なので、遅延時間を大幅に減らすことができる。
【００３９】
ＵＥは、５１２段階で、ハンドオーバーするＮｏｎ−３ＧＰＰ  Ａｃｃｅｓｓ  Ｎｅｔｗｏｒｋを検索し、検索されたＡｃｃｅｓｓ  Ｎｅｔｗｏｒｋがルーティング基準を満足させるか否かを判断する。もし当該Ａｃｃｅｓｓ  Ｎｅｔｗｏｒｋがルーティング基準を満足させれば、ＵＥは、５１４段階で、Ｎｏｎ−３ＧＰＰ  Ａｃｃｅｓｓ  Ｎｅｔｗｏｒｋを利用してデータ通信を行う。
【００４０】
一方、ｅＮＢは、自分のカバレージ内にＵＥが接続可能なＮｏｎ−３ＧＰＰ  Ａｃｃｅｓｓ  Ｎｅｔｗｏｒｋが存在するか否かを放送チャネルを通じてブロードキャスト（ｂｒｏａｄｃａｓｔ）する情報であるＳＩＢ（Ｓｙｓｔｅｍ  Ｉｎｆｏｒｍａｔｉｏｎ  Ｂｌｏｃｋ）を利用して通知することができる。例えば、もしｅＮＢのカバレージ内に接続可能な無線ＬＡＮが存在する場合、ＳＩＢを通じて“ＷＬＡＮ  ｅｘｉｓｔｓ”フラグ（ｆｌａｇ）をＹｅｓに送れば、ＵＥは、使用可能な無線ＬＡＮの存在有無をあらかじめ把握することができる。もし当該フラグがＮｏの場合は、使用可能な無線ＬＡＮがないので、ＵＥは、不要なチャネル検索を省略することができる。または、ｅＮＢは、ＳＩＢにカバレージ内で使用可能なＮｏｎ−３ＧＰＰ  ａｃｃｅｓｓ  ｎｅｔｗｏｒｋのｔｙｐｅを含むことができる。例えば、ＳＩＢ内にｎｅｉｇｈｂｏｒ  Ｎｏｎ−３ＧＰＰ  ａｃｃｅｓｓ  ｎｅｔｗｏｒｋ  ｌｉｓｔにＷＬＡＮとＷｉＭＡＸを指称するインデックス（ｉｎｄｅｘ）が含まれれば、ＵＥは、周辺に使用可能なＷＬＡＮ及びＷｉＭＡＸが存在することをあらかじめ把握することができる。
【００４１】
図６は、本発明の実施例によって政策サーバーがＭＭＥに連動される場合、移動通信システム間のルーティング政策を伝達する方法を示す図である。さらに詳しく説明すれば、図６は、本発明の実施例によってＡＮＤＳＦのような政策サーバーをｅＮＢに直接連動するときに要求されるインターフェースの数字を減らし、３ＧＰＰ  Ａｃｃｅｓｓ  Ｎｅｔｗｏｒｋだけでなく、Ｃｏｒｅ  Ｎｅｔｗｏｒｋの状態を考慮することができるように政策サーバーを移動性管理エンティティー（ＭＭＥ；Ｍｏｂｉｌｉｔｙ  Ｍａｎａｇｅｍｅｎｔ  Ｅｎｔｉｔｙ）に連動する方案を提示する。ＭＭＥは、連結モード（Ｃｏｎｎｅｃｔｅｄ  Ｍｏｄｅ）だけでなく、アイドルモード（Ｉｄｌｅ  Ｍｏｄｅ）のＵＥの状態まで格納している。
【００４２】
図６を参照すれば、ＵＥは、６００段階で、ｅＮＢに接続し、３ＧＰＰ  Ａｃｃｅｓｓ  Ｎｅｔｗｏｒｋを使用してデータ通信を行う。そして、ｅＮＢは、６０２段階で、ｃｅｌｌ状態やＵＥの状態によって政策サーバーにＵＥをＮｏｎ−３ＧＰＰ  Ａｃｃｅｓｓ  Ｎｅｔｗｏｒｋに移動させるルーティング政策生成を要請する。この際、セルの状態は、セルの位置や混雑程度など多様な情報を含むことができ、ＵＥの状態は、ＵＥの位置などのような情報を含むことができる。そして、６０２段階は、付加的な段階であって、省略が可能である。
【００４３】
ＭＭＥは、６０４段階で、自分が直接把握したＵＥ及びセル状態やｅＮＢから伝達された情報に基づいてＵＥをＮｏｎ−３ＧＰＰ  Ａｃｃｅｓｓ  Ｎｅｔｗｏｒｋで移動させるものと判断する。そして、ＭＭＥは、６０６段階で、政策サーバーにルーティング政策生成を要請する。ルーティング政策生成要請に政策サーバーがＵＥや３ＧＰＰ  Ａｃｃｅｓｓ  Ｎｅｔｗｏｒｋの情報を収集し、ルーティング政策生成に反映することができるようにセル状態またはＵＥ状態に関する情報が含まれることができ、ＵＥのＱｏＳ関連事項も一緒に含まれることができる。
【００４４】
政策サーバーは、６０８段階で、ＭＭＥから受信されたセル状態またはＵＥ状態に関する情報を格納し、これを考慮してルーティング政策を生成する。この際、ルーティング政策に図３〜図４で説明したように、ルーティング基準とアップデート政策の拡張が含まれることができる。
【００４５】
政策サーバーは、６１０段階で、生成されたルーティング政策をＭＭＥに伝達する。そして、ＭＭＥは、６１２段階で、政策サーバーから受信されたルーティング政策をＵＥに伝達する。この際、ＭＭＥは、ＮＡＳメッセージを利用してＵＥに当該ルーティング政策を伝達する。ＮＡＳメッセージは、ＵＥとＭＭＥ間の既に生成された保安方式に従って保安が維持される。
【００４６】
次に、ＵＥは、６１４段階で、ｎｏｎ−３ＧＰＰ  Ａｃｃｅｓｓ  Ｎｅｔｗｏｒｋを検索し、ルーティング基準が満足されるか否かを確認する。もし当該Ａｃｃｅｓｓ  Ｎｅｔｗｏｒｋがルーティング基準を満足させれば、ＵＥは、６１６段階で、当該Ｎｏｎ−３ＧＰＰ  ＡｃｃｅｓｓＮｅｔｗｏｒｋを使用してデータ通信を行う。
【００４７】
端末がハンドオーバー実行時に、ユーザが感じる体感性能を改善するために本発明で提案した方法を要約すれば、次の通りである。
【００４８】
移動通信システムは、端末（ＵＥ；Ｕｓｅｒ  Ｅｑｕｉｐｍｅｎｔ）、政策サーバー（Ｐｏｌｉｃｙ  Ｓｅｒｖｅｒ）、端末が接続し、データを送受信するネットワークで構成される。この際、政策サーバーは、移動通信システムで個別構成で構成されることができるが、基地局または移動性管理エンティティーに連動されて構成されることができる。
【００４９】
本発明によれば、政策サーバーは、現端末状態及びセル状態を確認し、ユーザ状態条件情報を生成する。この際、ユーザ状態条件情報は、ハンドオーバーを行うための端末の状態を指定する条件またはアップデート政策を要請するための必要条件に関する情報を意味する。ユーザ状態条件情報は、各役目によってルーティング政策を構成するルーティング基準またはアップデート政策に含まれる。
【００５０】
端末は、ネットワークを通じてデータを送受信するうちに、政策サーバーからハンドオーバーを行うための端末の状態を指定する条件情報であるユーザ状態条件情報を受信されたルーティング基準を通じて確認する。そして、ハンドオーバー時に、検索されたネットワーク状態がユーザ状態条件情報を満足すれば、端末は、当該ネットワークにハンドオーバーし、データ通信を引き続いて行う。
【００５１】
または、政策サーバーは、アップデート政策を要請するための必要条件に関する情報が含まれたルーティング政策を端末に伝達する。そして、ネットワークと通信中に現端末状態がユーザ状態条件情報を満足させれば、端末は、政策サーバーにアップデート政策を要請する。この際、端末は、アップデート政策要請とともに現端末の状態及びセル状態に関する情報を伝達する。それでは、政策サーバーは、受信された端末の状態及びセル状態に関する情報を参照してルーティング政策を生成する。そして、政策サーバーは、生成されたルーティング政策を端末に伝達する。
【００５２】
このように政策サーバーで現端末の状態またはネットワーク状態を考慮してルーティング政策が生成され、端末は、これを満足する場合、ハンドオーバーを行うか、またはアップデート政策を要請するので、ユーザ体感性能が高くなることができる。
【００５３】
なお、本発明の詳細な説明では、具体的な実施例について説明したが、本発明の範囲を逸脱しない限度内で様々な変形が可能であることは勿論である。したがって、本発明の範囲は、説明された実施例に限定されず、後述する特許請求の範囲だけでなく、この特許請求の範囲と均等なものによって定められなければならない。
【符号の説明】
【００５４】
ＵＥ  端末機
ＡＮＤＳＦ  Ａｃｃｅｓｓ  Ｎｅｔｗｏｒｋ  Ｄｉｓｃｏｖｅｒｙ  Ｓｅｒｖｉｃｅ  Ｆｕｎｃｔｉｏｎ
【図１】
2014528661.tif 000003
【図２】
2014528661.tif 000004
【図３】
2014528661.tif 000005
【図４】
2014528661.tif 000006
【図５】
2014528661.tif 000007
【図６】
2014528661.tif 000008
【国際調査報告】
2014528661.tif 000009
2014528661.tif 000010
2014528661.tif 000011
2014528661.tif 000012